【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
伝送速度情報が入力され伝送速度の設定を行う伝送速度設定手段と、
パケットにて送信されるデータ量情報が入力されデータ量の設定を行うデータ量設定手段と、
前記伝送速度設定手段の出力信号と前記データ量設定手段の出力信号とが入力され、受信側でデータ長を算出するための制御情報を生成する制御信号設定手段と、
入力データの生成を行うデータ部生成手段と、
前記制御信号設定手段の出力信号と前記データ部生成手段の出力信号とが入力され、データ信号と制御情報との対応関係が受信側で判別できるように入出力順番の制御が行われる入出力信号制御手段と、
前記入出力信号制御手段の出力信号が入力され変調が行われる変調手段と
を有するパケット信号送信回路において、
前記伝送速度設定手段は、所定の伝送速度を示す伝送速度情報が入力された場合には、補正値設定手段へ伝送速度情報を出力し、前記制御信号設定手段へは従来の設定されている伝送速度情報の形式を用いて伝送速度の設定を行う手段を備え、
前記補正値設定手段は、データ量情報と前記伝送速度設定手段から出力された伝送速度情報とが入力され、入力された伝送速度情報に応じて所定の比率でデータ長が短くなるようにデータ量に補正を行う手段を備え、
前記データ量設定手段は、前記補正値設定手段の出力信号が入力された場合には、この値を用いてデータ量設定を行う手段を備えた
ことを特徴とするパケット信号送信回路。
【請求項２】
伝送速度情報が入力され伝送速度の設定を行う伝送速度設定手段と、
パケットにて送信されるデータ量情報が入力されデータ量の設定を行う第一のデータ量設定手段と、
前記伝送速度設定手段の出力信号と前記第一のデータ量設定手段の出力信号とが入力され、受信側でデータ長を算出するための制御情報を生成する制御信号設定手段と、
入力データの生成を行うデータ部生成手段と、
前記制御信号設定手段の出力信号と前記データ部生成手段の出力信号とが入力され、データ信号と制御情報との対応関係が受信側で判別できるように入出力順番の制御が行われる入出力信号制御手段と、
前記入出力信号制御手段の出力信号が入力され変調が行われる変調手段と
を有するパケット信号送信回路において、
前記伝送速度設定手段は、所定の伝送速度を示す伝送速度情報が入力された場合には、補正値設定手段へ伝送速度情報を出力し、前記制御信号設定手段へは従来の設定されている伝送速度情報の形式を用いて伝送速度の設定を行う手段を備え、
前記補正値設定手段は、データ量情報と前記伝送速度設定手段から出力された伝送速度情報とが入力され、入力された伝送速度情報に応じて所定の比率でデータ長が短くなるようにデータ量に補正を行う手段を備え、
前記補正値設定手段の出力信号が入力された場合には、この値を用いてデータ量設定を行う第二のデータ量設定手段を備えた
ことを特徴とするパケット信号送信回路。
【請求項３】
前記伝送速度設定手段における所定の伝送速度は、従来設定されている以上の高速な伝送速度である請求項１または２記載のパケット信号送信回路。
【請求項４】
前記補正値設定手段における所定の比率は、伝送速度の増加分である請求項１または２記載のパケット信号送信回路。
【請求項５】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力するデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、所定の伝送速度であることを示す信号を受信した場合には、データ量の補正を行う制御信号を出力する手段を備え、
前記制御信号識別手段からデータ量を補正する制御信号および伝送速度の設定値およびデータ量の設定値が入力され、送信側で行った補正と逆の補正を行い正しいデータ量の設定値を出力する補正値識別手段を備え、
前記データ量識別手段は、前記補正値識別手段の出力信号が入力された場合には、この値を用いて受信パケットのデータ量情報の識別を行う手段を備えた
ことを特徴とするパケット信号受信回路。
【請求項６】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力する第一のデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、所定の伝送速度であることを示す信号を受信した場合には、データ量の補正を行う制御信号を出力する手段を備え、
前記制御信号識別手段からデータ量を補正する制御信号および伝送速度の設定値およびデータ量の設定値が入力され、送信側で行った補正と逆の補正を行い正しいデータ量の設定値を出力する補正値識別手段と、
前記補正値識別手段の出力信号が入力された場合には、この値を用いて受信パケットのデータ量情報の識別を行う第二のデータ量識別手段と
を備えたことを特徴とするパケット信号受信回路。
【請求項７】
前記制御信号識別手段における所定の伝送速度は、従来設定されている以上の高速な伝送速度である請求項５または６記載のパケット信号受信回路。
【請求項８】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力するデータ量識別手段と、
前記制御信号識別手段から別途出力される伝送速度の設定値が入力され、伝送速度情報を出力する伝送速度識別手段と
を有するパケット信号受信回路において、
前記復調手段は、所定の伝送速度であることを示す信号を受信した場合には、データ量の補正を行う制御信号を出力する手段を備え、
前記復調手段からデータ量を補正する制御信号が入力され、前記制御信号識別手段から伝送速度の設定値およびデータ量の設定値が入力され、送信側で行った補正と逆の補正を行い正しいデータ量の設定値を出力する補正値識別手段を備え、
前記データ量識別手段は、前記補正値識別手段の出力信号が入力された場合には、この値を用いて受信パケットのデータ量情報の識別を行う手段を備えた
ことを特徴とするパケット信号受信回路。
【請求項９】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力する第一のデータ量識別手段と、
前記制御信号識別手段から別途出力される伝送速度の設定値が入力され、伝送速度情報を出力する伝送速度識別手段と
を有するパケット信号受信回路において、
前記復調手段は、所定の伝送速度であることを示す信号を受信した場合には、データ量の補正を行う制御信号を出力する手段を備え、
前記復調手段からデータ量を補正する制御信号が入力され、前記制御信号識別手段から伝送速度の設定値およびデータ量の設定値が入力され、送信側で行った補正と逆の補正を行い正しいデータ量の設定値を出力する補正値識別手段と、
前記補正値識別手段の出力信号が入力された場合には、この値を用いて受信パケットのデータ量情報の識別を行う第二のデータ量識別手段と
を備えたことを特徴とするパケット信号受信回路。
【請求項１０】
前記復調手段における所定の伝送速度は、従来設定されている以上の高速な伝送速度である請求項８または９記載のパケット信号受信回路。
【請求項１１】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力するデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、所定の伝送速度であることを示す信号を受信した場合には、データ量の補正を行う第一の制御信号を出力する手段を備え、
前記復調手段は、所定の伝送速度であることを示す信号を受信した場合には、データ量の補正を行う第二の制御信号を出力する手段を備え、
前記制御信号識別手段からデータ量を補正する第一の制御信号および伝送速度の設定値およびデータ量の設定値が入力され、別途、前記復調手段からデータ量を補正する第二の制御信号が入力され、これらの信号を用いて送信側で行った補正と逆の補正を行い正しいデータ量の設定値を出力する補正値識別手段を備え、
前記データ量識別手段は、前記補正値識別手段の出力信号が入力された場合には、この値を用いて受信パケットのデータ量情報の識別を行う手段を備えた
ことを特徴とするパケット信号受信回路。
【請求項１２】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力する第一のデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、所定の伝送速度であることを示す信号を受信した場合には、データ量の補正を行う第一の制御信号を出力する手段を備え、
前記復調手段は、所定の伝送速度であることを示す信号を受信した場合には、データ量の補正を行う第二の制御信号を出力する手段を備え、
前記制御信号識別手段からデータ量を補正する第一の制御信号および伝送速度の設定値およびデータ量の設定値が入力され、別途、前記復調手段からデータ量を補正する第二の制御信号が入力され、これらの信号を用いて送信側で行った補正と逆の補正を行い正しいデータ量の設定値を出力する補正値識別手段と、
前記補正値識別手段の出力信号が入力された場合には、この値を用いて受信パケットのデータ量情報の識別を行う第二のデータ量識別手段と
を備えたことを特徴とするパケット信号受信回路。
【請求項１３】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力するデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、所定の伝送速度であることを示す信号を受信した場合には、データ量の補正を行う第一の制御信号を出力する手段を備え、
前記復調手段は、所定の伝送速度であることを示す信号を受信した場合には、データ量の補正を行う第二の制御信号を出力する手段を備え、
前記制御信号識別手段からデータ量を補正する第一の制御信号および伝送速度の設定値およびデータ量の設定値が入力され、別途、前記復調手段からデータ量を補正する第二の制御信号が入力され、少なくとも前記第一または第二の制御信号のいずれかを用いて送信側で行った補正と逆の補正を行い正しいデータ量の設定値を出力する補正値識別手段を備え、
前記データ量識別手段は、前記補正値識別手段の出力信号が入力された場合には、この値を用いて受信パケットのデータ量情報の識別を行う手段を備えた
ことを特徴とするパケット信号受信回路。
【請求項１４】
受信パケット信号が入力され受信パケット信号の復調を行う復調手段と、
前記復調手段から出力される復調信号が入力され制御情報と復調データとの対応関係が保存されるように入出力順番の制御が行われる入出力信号制御手段と、
前記入出力信号制御手段から出力される復調パケットのデータ識別を行うデータ部識別手段と、
前記入出力信号制御手段から別途出力される制御情報が入力され当該制御情報の識別を行う制御信号識別手段と、
前記制御信号識別手段から出力されるデータ量の設定値が入力されデータ量情報を識別して出力する第一のデータ量識別手段と、
前記制御信号識別手段から別途出力される伝送速度の設定値が入力され、伝送速度情報を出力する伝送速度識別手段と
を有するパケット信号受信回路において、
前記制御信号識別手段は、所定の伝送速度であることを示す信号を受信した場合には、データ量の補正を行う第一の制御信号を出力する手段を備え、
前記復調手段は、所定の伝送速度であることを示す信号を受信した場合には、データ量の補正を行う第二の制御信号を出力する手段を備え、
前記制御信号識別手段からデータ量を補正する第一の制御信号および伝送速度の設定値およびデータ量の設定値が入力され、別途、前記復調手段からデータ量を補正する第二の制御信号が入力され、少なくとも前記第一または第二の制御信号のいずれかを用いて送信側で行った補正と逆の補正を行い正しいデータ量の設定値を出力する補正値識別手段と、
前記補正値識別手段の出力信号が入力された場合には、この値を用いて受信パケットのデータ量情報の識別を行う第二のデータ量識別手段と
を備えたことを特徴とするパケット信号受信回路。
【請求項１５】
前記制御信号識別手段および前記復調手段における所定の伝送速度は、従来設定されている以上の高速な伝送速度である請求項１１ないし１４のいずれか記載のパケット信号受信回路。
【手続補正２】
【補正対象書類名】明細書
【補正対象項目名】０１０７
【補正方法】変更
【補正の内容】
【０１０７】
ここで、第九実施例の特徴とするところは、制御信号識別回路７００４は、従来設定されていた以上の高速な伝送速度であることを示す信号を受信した場合には、データ量の補正を行う第一の制御信号Ｓ７０１０を出力し、復調回路７００１は、従来設定されていた以上の高速な伝送速度であることを示す信号を受信した場合には、データ量の補正を行う第二の制御信号Ｓ７０１６を出力し、制御信号識別回路７００４からデータ量を補正する第一の制御信号Ｓ７０１０および伝送速度の設定値およびデータ量の設定値が入力され、別途、復調回路７００１からデータ量を補正する第二の制御信号Ｓ７０１６が入力され、少なくとも制御信号Ｓ７０１０またはＳ７０１６のいずれかを用いて送信側で行った補正と逆の補正を行い正しいデータ量の設定値を出力する補正値識別回路７００７を備え、データ量識別回路７００５は、補正値識別回路７００７の出力信号が入力された場合には、この値を用いて受信パケットのデータ量情報の識別を行うところにある。
【手続補正３】
【補正対象書類名】明細書
【補正対象項目名】０１０８
【補正方法】変更
【補正の内容】
【０１０８】
次に、第九実施例のパケット信号受信回路の動作を説明する。復調回路７００１では、受信信号Ｓ７００１を受信して復調信号Ｓ７００２を出力し、新規システムの信号である特徴量を検出した場合には、補正を行なうことを指示する制御信号Ｓ７０１６を出力する。入出力信号制御回路７００２では、復調信号Ｓ７００２に対してデータ信号Ｓ７００３と制御情報Ｓ７００４に入出力を制御する。データ部復調回路７００３では、データ信号Ｓ７００３に対してデータの復調が行われ復調信号Ｓ７０１５が得られる。
【手続補正４】
【補正対象書類名】明細書
【補正対象項目名】０１１２
【補正方法】変更
【補正の内容】
【０１１２】
ここで、第十実施例の特徴とするところは、制御信号識別回路８００４は、従来設定されていた以上の高速な伝送速度であることを示す信号を受信した場合には、データ量の補正を行う第一の制御信号Ｓ８０１０を出力し、復調回路８００１は、従来設定されていた以上の高速な伝送速度であることを示す信号を受信した場合には、データ量の補正を行う第二の制御信号Ｓ８０１６を出力し、制御信号識別回路８００４からデータ量を補正する第一の制御信号Ｓ８０１０および伝送速度の設定値およびデータ量の設定値が入力され、別途、復調回路８００１からデータ量を補正する第二の制御信号Ｓ８０１６が入力され、少なくとも制御信号Ｓ８０１０またはＳ８０１６のいずれかを用いて送信側で行った補正と逆の補正を行い正しいデータ量の設定値を出力する補正値識別回路８００７と、補正値識別回路８００７の出力信号が入力された場合には、この値を用いて受信パケットのデータ量情報の識別を行うデータ量識別回路８００５とを備えたところにある。
【手続補正５】
【補正対象書類名】明細書
【補正対象項目名】０１１３
【補正方法】変更
【補正の内容】
【０１１３】
次に、第十実施例のパケット信号受信回路の動作を説明する。復調回路８００１では、受信信号Ｓ８００１を受信して復調信号Ｓ８００２を出力し、新規システムの信号である特徴量を検出した場合には、補正を行なうことを指示する制御信号Ｓ８０１６を出力する。入出力信号制御回路８００２では、復調信号Ｓ８００２に対してデータ信号Ｓ８００３と制御情報Ｓ８００４とに入出力を制御する。データ部復調回路８００３では、データ信号Ｓ８００３に対してデータの復調が行われ復調信号Ｓ８０１５が得られる。